(57)【要約】    【課題】  離型シート部と貼着シート部と剥離シート部が積層した（連続）シート体で、貼着シート部と剥離シート部の積層体又は剥離シート部を容易に剥離させ得、効率的に製造し得る。    【解決手段】  積層シート体Ｂは、離型シート部１０と貼着シート部２０と剥離シート部３０がこの順に積層してなり、貼着シート部２０と剥離シート部３０を除去する第１領域形成部４０と、剥離シート部３０を除去する第２領域形成部５０と、残部の第３領域６０を有する。第１領域形成部４０と第３領域６０の境界に、剥離シート部３０と貼着シート部２０にわたる第１切離部Ｔ１を形成し、第２領域形成部５０と第３領域６０の境界に第２切離部Ｔ２を剥離シート部３０に形成し、第１領域形成部４０と第２領域形成部５０の境界に離型シート部１０と貼着シート部２０にわたる第３切離部Ｔ３を形成する。【選択図】      図２
2018058242.tif 000002
【特許請求の範囲】
【請求項１】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなる原積層シート体に、
貼着シート部と剥離シート部の両者を除去して離型シート部からなる第１領域を形成するための第１領域形成部と、
剥離シート部を除去して離型シート部と貼着シート部が積層してなる第２領域を形成するための第２領域形成部と、
離型シート部と貼着シート部と剥離シート部がこの順に積層してなる第３領域を設けて
積層シート体を製造する方法であって、
前記原積層シート体に対し、
前記第１領域形成部と第３領域の境界には、第１領域形成部から貼着シート部と剥離シート部を除去するための、剥離シート部と貼着シート部にわたる切離部を形成し、
前記第２領域形成部と第３領域の境界には、剥離シート部を除去するための切離部を剥離シート部に形成し、
前記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部を形成することにより、前記第１領域形成部、第２領域形成部及び第３領域を設けることを特徴とする積層シート体製造方法。
【請求項２】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部を形成する、請求項１記載の積層シート製造方法。
【請求項３】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分について、上記原積層シート体における貼着シート部に予め切離部を形成する、請求項１記載の積層シート製造方法。
【請求項４】
上記原積層シート体が所定方向に間隔おきに切離可能部を有するか、又は、上記原積層シート体若しくは上記積層シート体に所定方向間隔おきに切離可能部を設ける工程を有し、
前記切離可能部を介して所定方向に積層シート体が複数連続してなる積層シート連続体を製造するものであって、
第２領域形成部と第３領域の一方が、所定方向において第１領域形成部により全幅にわたり中断することがない状態で、前記切離可能部を介して所定方向に連続している請求項１乃至３の何れか１項に記載の積層シート製造方法。
【請求項５】
上記切離可能部を介して所定方向に複数連続してなる積層シート体が、各積層シート体の所定方向の両端部又は一端部に第２領域形成部を有し、その第２領域形成部に隣接して第３領域を有するものである請求項４記載の積層シート体製造方法。
【請求項６】
上記切離可能部を介して所定方向に複数連続してなる積層シート体における所定方向に隣接する積層シート体が、それぞれの所定方向における端部に形成された第２領域形成部同士において相対するものである請求項５記載の積層シート体製造方法。
【請求項７】
上記切離可能部を介して所定方向に複数連続してなる積層シート体が、各積層シート体の両側部それぞれに第１領域形成部を有し、それらの第１領域形成部が切離可能部を介して所定方向に連続しているものである請求項４乃至６の何れか１項に記載の積層シート体製造方法。
【請求項８】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなるシート体であって、
貼着シート部と剥離シート部の両者を除去して離型シート部からなる第１領域を形成するための第１領域形成部と、
剥離シート部を除去して離型シート部と貼着シート部が積層してなる第２領域を形成するための第２領域形成部と、
第１領域と第２領域以外の領域に、離型シート部と貼着シート部と剥離シート部がこの順に積層してなる第３領域を有し、
第１領域形成部と第３領域の境界には、貼着シート部と剥離シート部を除去するための、剥離シート部と貼着シート部にわたる切離部が形成され、
第２領域形成部と第３領域の境界には、剥離シート部を除去するための切離部が剥離シート部に形成され、
第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部が形成されていることを特徴とする積層シート体。
ができる。
【請求項９】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部が形成されている請求項８記載の積層シート体。
【請求項１０】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部にのみ切離部が形成されている請求項８記載の積層シート体。
【請求項１１】
請求項８乃至１０の何れか１項に記載の積層シート体が、切離可能部を介して所定方向に複数連続してなるものであり、第２領域形成部と第３領域の一方が、所定方向において第１領域形成部により全幅にわたり中断することがない状態で、前記切離可能部を介して所定方向に連続している積層シート連続体。
【請求項１２】
上記切離可能部を介して所定方向に連続している各積層シート体の所定方向の両端部又は一端部に第２領域形成部を有し、その第２領域形成部に隣接して第３領域を有する請求項１１記載の積層シート連続体。
【請求項１３】
上記切離可能部を介して所定方向に隣接する積層シート体が、それぞれの所定方向における端部に形成された第２領域形成部同士において相対している請求項１２記載の積層シート連続体。
【請求項１４】
各積層シート体の両側部それぞれに第１領域形成部を有し、それらの第１領域形成部が切離可能部を介して所定方向に連続している請求項１１乃至１３の何れか１項に記載の積層シート連続体。
【請求項１５】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなるシート体であって、
離型シート部からなり、貼着シート部と剥離シート部の両者が存在せず貼着シート部の剥離痕跡を有する第１領域と、
離型シート部と貼着シート部が積層してなり、剥離シート部が存在せず剥離シート部の剥離痕跡を有する、前記第１領域に隣接した第２領域と、
離型シート部と貼着シート部と剥離シート部がこの順に積層してなる第３領域を有し、
離型シート部における第１領域と第２領域の境界に対応する位置に切離部を有することを特徴とする貼着用積層シート体。
【請求項１６】
請求項１５記載の貼着用積層シート体が、切離可能部を介して所定方向に複数連続してなるものであり、第２領域と第３領域の一方が、所定方向において第１領域により全幅にわたり中断することがない状態で、前記切離可能部を介して所定方向に連続している貼着用積層シート連続体。
【請求項１７】
上記切離可能部を介して所定方向に連続している各貼着用積層シート体の所定方向の両端部又は一端部に第２領域を有し、その第２領域に隣接して第３領域を有する請求項１６記載の貼着用積層シート連続体。
【請求項１８】
上記切離可能部を介して所定方向に隣接する貼着用積層シート体が、それぞれの所定方向における端部に形成された第２領域同士において相対している請求項１７記載の貼着用積層シート連続体。
【請求項１９】
各貼着用積層シート体の両側部それぞれに第１領域を有し、それらの第１領域が切離可能部を介して所定方向に連続している請求項１６乃至１８の何れか１項に記載の貼着用積層シート連続体。
【発明の詳細な説明】
【技術分野】
【０００１】
本発明は、配送用ラベル又はその他の用途に用い得る積層シート体、積層シート連続体、貼着用積層シート体、貼着用積層シート連続体及び積層シート体製造方法に関する。
【背景技術】
【０００２】
特表２０００−５０２９７５号公報には、多数の同一のラベルが、切り離すことができるミシン目を介して連続するウェブであって裏面に接着剤を備えたものに対し、用途等に応じて必要な印刷を施し、所要のミシン目で切り離すことにより、様々な必要性に対応し得る技術が記載されている。
【０００３】
しかしながら、特表２０００−５０２９７５号公報に記載されているラベルは、裏面に接着剤を備えるが、表面には別のラベル等が積層したものではないので、この点において用途に限界がある。
【先行技術文献】
【特許文献】
【０００４】
【特許文献１】特表２０００−５０２９７５号公報
【発明の概要】
【発明が解決しようとする課題】
【０００５】
本発明は、離型シート部と貼着シート部と剥離シート部がこの順に積層してなるシート体及びそのシート体が切離可能部を介して連続した連続シート体であって、貼着シート部と剥離シート部の積層体又は剥離シート部を容易に剥離させることができ且つ効率的に製造し得るもの及びその製造方法を提供することを目的とする。
【課題を解決するための手段】
【０００６】
本発明の積層シート体、積層シート連続体、貼着用積層シート体、貼着用積層シート連続体及び積層シート体製造方法は、次のように表すことができる。
【０００７】
(1) 表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなる原積層シート体に、
貼着シート部と剥離シート部の両者を除去して離型シート部からなる第１領域を形成するための第１領域形成部と、
剥離シート部を除去して離型シート部と貼着シート部が積層してなる第２領域を形成するための第２領域形成部と、
離型シート部と貼着シート部と剥離シート部がこの順に積層してなる第３領域を設けて積層シート体を製造する方法であって、
前記原積層シート体に対し、
前記第１領域形成部と第３領域の境界には、第１領域形成部から貼着シート部と剥離シート部を除去するための、剥離シート部と貼着シート部にわたる切離部を形成し、
前記第２領域形成部と第３領域の境界には、剥離シート部を除去するための切離部を剥離シート部に形成し、
前記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部を形成することにより、前記第１領域形成部、第２領域形成部及び第３領域を設けることを特徴とする積層シート体製造方法。
【０００８】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなる原積層シート体に対し、
第１領域形成部と第３領域の境界には剥離シート部と貼着シート部にわたる切離部を形成し、
第２領域形成部と第３領域の境界には剥離シート部に切離部を形成し、
第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部を形成することにより、第１領域形成部、第２領域形成部及び第３領域を設けて積層シート体を製造することができる。
【０００９】
このようにして得られる積層シート体における第１領域形成部から貼着シート部と剥離シート部の両者を除去することにより第１領域が形成され、第２領域形成部から剥離シート部を除去することにより第２領域が形成される。
【００１０】
この場合、第１領域を形成するために除去する剥離シート部と、その第１領域に隣接した第２領域を形成するために除去する剥離シート部を、それらが繋がった状態で（好ましくは、第１領域を形成するために除去する貼着シート部と剥離シート部が積層した状態であり、その剥離シート部と第２領域を形成するために除去する剥離シート部が繋がった状態で）除去することにより、第１領域形成部からの貼着シート部と剥離シート部の除去と第２領域形成部からの剥離シート部の除去を効率的に行って、第１領域及び第２領域が形成された貼着用積層シート体を効率的に製造することができる。
【００１１】
貼着用積層シート体の離型シート部から、貼着シート部と剥離シート部が積層した状態のシート状の貼着体を剥離させることにより、その貼着体を貼着シート部の裏側の接着層において貼付対象に貼着することができる。離型シート部からの貼着シート部と剥離シート部が積層した状態のシート状の貼着体の剥離は、第３領域と第１領域が隣接する部分から円滑に行うことができる。
【００１２】
(2) 上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部を形成する、上記(1)記載の積層シート製造方法。
【００１３】
第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部を剥離シート部が繋がった状態で裏側から形成することにより、貼着シート部の必要位置に、切離部を正確性高く容易に設けることができる。
【００１４】
(3) 上記第１領域形成部と第２領域形成部の境界のうち、第１領域を形成するために除去する剥離シート部と、その第１領域に隣接した第２領域を形成するために除去する剥離シート部を、それらが繋がった状態で除去する部分について、上記原積層シート体における貼着シート部に予め切離部を形成する、上記(1)記載の積層シート製造方法。
【００１５】
(4) 上記原積層シート体が所定方向に間隔おきに切離可能部を有するか、又は、上記原積層シート体若しくは上記積層シート体に所定方向間隔おきに切離可能部を設ける工程を有し、
前記切離可能部を介して所定方向に積層シート体が複数連続してなる積層シート連続体を製造するものであって、
第２領域形成部と第３領域の一方が、所定方向において第１領域形成部により全幅にわたり中断することがない状態で、前記切離可能部を介して所定方向に連続している上記(1)乃至(3)の何れか１項に記載の積層シート製造方法。
【００１６】
所定方向に間隔おきに切離可能部を有する原積層シート体を用いるか、又は、原積層シート体若しくは積層シート体に所定方向間隔おきに切離可能部を設ける工程を設けることにより、切離可能部を介して所定方向に積層シート体が複数連続してなる積層シート連続体を製造することができる。
【００１７】
この積層シート連続体について、第１領域形成部からの貼着シート部と剥離シート部の除去と第２領域形成部からの剥離シート部の除去を行うことにより、貼着用積層シート連続体を得ることができる。その際、第１領域を形成するために除去する剥離シート部と、その第１領域に隣接した第２領域を形成するために除去する剥離シート部を、それらが繋がった状態で（好ましくは、第１領域を形成するために除去する貼着シート部と剥離シート部が積層した状態であり、その剥離シート部と第２領域を形成するために除去する剥離シート部が繋がった状態で）除去することにより、貼着用積層シート連続体を効率的に得ることができる。
【００１８】
この貼着用積層シート連続体を任意の切離可能部において切離することにより、１又は２以上の（単独の）貼着用積層シート体、並びに、１又は２以上の切離可能部を介して所定方向に複数連続してなる貼着用積層シート連続体の一方又は両方が得られる。
【００１９】
得られた（単独の）貼着用積層シート体の離型シート部から、貼着シート部と剥離シート部が積層した状態のシート状の（単独の）貼着体を剥離させることにより、その（単独の）貼着体を貼着シート部の裏側の接着層において貼付対象に貼着することができる。
【００２０】
また、貼着用積層シート連続体の離型シート部から、貼着シート部と剥離シート部が積層した状態のシート状の連続貼着体を剥離させることにより、その連続貼着体を貼着シート部の裏側の接着層において貼付対象に貼着することができる。
【００２１】
積層シート連続体において、第２領域形成部と第３領域の一方が、所定方向において第１領域形成部により全幅にわたり中断することがない状態で、切離可能部を介して所定方向に連続しているので、離型シート部から剥離させた貼着シート部と剥離シート部が積層した状態のシート状の（単独の）貼着体又は連続貼着体が、第１領域形成部に対応する箇所において前記所定方向に分離することがなく、一体的に取り扱い得る。
【００２２】
(5) 上記切離可能部を介して所定方向に複数連続してなる積層シート体が、各積層シート体の所定方向の両端部又は一端部に第２領域形成部を有し、その第２領域形成部に隣接して第３領域を有するものである上記(4)記載の積層シート体製造方法。
【００２３】
この場合、切離可能部を介して所定方向に複数連続してなる積層シート体が、各積層シート体の所定方向の両端部又は一端部に第２領域形成部を有するので、得られる貼着用積層シート連続体そのものにおいても、或いは、それを任意の切離可能部において切離して得られる１若しくは２以上の（単独の）貼着用積層シート体又は１若しくは２以上の切離可能部を介して所定方向に複数連続してなる貼着用積層シート連続体においても、離型シート部から貼着シート部と剥離シート部が積層した状態のシート状の貼着体又は連続貼着体を剥離させて貼着シート部の裏側の接着層において貼付対象に貼着した場合、貼着体、又は、連続貼着体における各貼着体の所定方向の両端部又は一端部が貼着シート部により形成される。
【００２４】
そのため、その貼着シート部に隣接する第３領域の剥離シート部を円滑に剥離させることができる。
【００２５】
(6) 上記切離可能部を介して所定方向に複数連続してなる積層シート体における所定方向に隣接する積層シート体が、それぞれの所定方向における端部に形成された第２領域形成部同士において相対するものである上記(5)記載の積層シート体製造方法。
【００２６】
(7) 上記切離可能部を介して所定方向に複数連続してなる積層シート体が、各積層シート体の両側部それぞれに第１領域形成部を有し、それらの第１領域形成部が切離可能部を介して所定方向に連続しているものである上記(4)乃至(6)の何れか１項に記載の積層シート体製造方法。
【００２７】
この場合、所定方向に複数連続している積層シート体の両側部それぞれに有する、切離可能部を介して所定方向に連続している第１領域形成部を、それぞれ切離可能部において繋がった状態で連続的に効率良く除去して、両側部にそれぞれ第１領域を形成し、切離可能部を介して所定方向に複数連続してなる貼着用積層シート連続体を効率的に得ることができる。
【００２８】
この貼着用積層シート連続体は、両側部にそれぞれ第１領域を有するため、貼着シート部の裏側に有する接着層を構成する物質（例えば接着剤や粘着剤等）が側方に露出したりはみ出たりして他の貼着用積層シート連続体やその他の物に接着又は付着することが防がれる。
【００２９】
(8) 表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなるシート体であって、
貼着シート部と剥離シート部の両者を除去して離型シート部からなる第１領域を形成するための第１領域形成部と、
剥離シート部を除去して離型シート部と貼着シート部が積層してなる第２領域を形成するための第２領域形成部と、
第１領域と第２領域以外の領域に、離型シート部と貼着シート部と剥離シート部がこの順に積層してなる第３領域を有し、
第１領域形成部と第３領域の境界には、貼着シート部と剥離シート部を除去するための、剥離シート部と貼着シート部にわたる切離部が形成され、
第２領域形成部と第３領域の境界には、剥離シート部を除去するための切離部が剥離シート部に形成され、
第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部が形成されていることを特徴とする積層シート体。
【００３０】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなる積層シート体であって、
第１領域形成部と第３領域の境界には剥離シート部と貼着シート部にわたる切離部が形成され、
第２領域形成部と第３領域の境界には剥離シート部に切離部が形成され、
第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部が形成されている。
【００３１】
この積層シート体における第１領域形成部から貼着シート部と剥離シート部の両者を除去することにより第１領域が形成され、第２領域形成部から剥離シート部を除去することにより第２領域が形成される。
【００３２】
この場合、第１領域を形成するために除去する剥離シート部と、その第１領域に隣接した第２領域を形成するために除去する剥離シート部を、それらが繋がった状態で（好ましくは、第１領域を形成するために除去する貼着シート部と剥離シート部が積層した状態であり、その剥離シート部と第２領域を形成するために除去する剥離シート部が繋がった状態で）除去することにより、第１領域形成部からの貼着シート部と剥離シート部の除去と第２領域形成部からの剥離シート部の除去を効率的に行って、第１領域及び第２領域が形成された貼着用積層シート体を効率的に得ることができる。
【００３３】
貼着用積層シート体の離型シート部から、貼着シート部と剥離シート部が積層した状態のシート状の貼着体を剥離させることにより、その貼着体を貼着シート部の裏側の接着層において貼付対象に貼着することができる。離型シート部からの貼着シート部と剥離シート部が積層した状態のシート状の貼着体の剥離は、第３領域と第１領域が隣接する部分から円滑に行うことができる。
【００３４】
(9) 上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部が形成されている上記(8)記載の積層シート体。
【００３５】
(10) 上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部にのみ切離部が形成されている上記(8)記載の積層シート体。
【００３６】
(11) 上記(8)乃至(10)の何れか１項に記載の積層シート体が、切離可能部を介して所定方向に複数連続してなるものであり、第２領域形成部と第３領域の一方が、所定方向において第１領域形成部により全幅にわたり中断することがない状態で、前記切離可能部を介して所定方向に連続している積層シート連続体。
【００３７】
積層シート連続体について、第１領域形成部からの貼着シート部と剥離シート部の除去と第２領域形成部からの剥離シート部の除去を行うことにより、貼着用積層シート連続体を得ることができる。その際、第１領域を形成するために除去する剥離シート部と、その第１領域に隣接した第２領域を形成するために除去する剥離シート部を、それらが繋がった状態で（好ましくは、第１領域を形成するために除去する貼着シート部と剥離シート部が積層した状態であり、その剥離シート部と第２領域を形成するために除去する剥離シート部が繋がった状態で）除去することにより、貼着用積層シート連続体を効率的に得ることができる。
【００３８】
この貼着用積層シート連続体を任意の切離可能部において切離することにより、１又は２以上の（単独の）貼着用積層シート体、並びに、１又は２以上の切離可能部を介して所定方向に複数連続してなる貼着用積層シート連続体の一方又は両方が得られる。
【００３９】
得られた（単独の）貼着用積層シート体の離型シート部から、貼着シート部と剥離シート部が積層した状態のシート状の（単独の）貼着体を剥離させることにより、その（単独の）貼着体を貼着シート部の裏側の接着層において貼付対象に貼着することができる。
【００４０】
また、貼着用積層シート連続体の離型シート部から、貼着シート部と剥離シート部が積層した状態のシート状の連続貼着体を剥離させることにより、その連続貼着体を貼着シート部の裏側の接着層において貼付対象に貼着することができる。
【００４１】
積層シート連続体において、第２領域形成部と第３領域の一方が、所定方向において第１領域形成部により全幅にわたり中断することがない状態で、切離可能部を介して所定方向に連続（連続は、第２領域形成部のみであるか、第３領域のみであるか、又は、第２領域形成部のみでも第３領域のみでもないかの何れか）しているので、離型シート部から剥離させた貼着シート部と剥離シート部が積層した状態のシート状の（単独の）貼着体又は連続貼着体が、第１領域形成部に対応する箇所において前記所定方向に分離することがなく、一体的に取り扱い得る。
【００４２】
(12) 上記切離可能部を介して所定方向に連続している各積層シート体の所定方向の両端部又は一端部に第２領域形成部を有し、その第２領域形成部に隣接して第３領域を有する上記(11)記載の積層シート連続体。
【００４３】
この場合、切離可能部を介して所定方向に複数連続している積層シート体が、各積層シート体の所定方向の両端部又は一端部に第２領域形成部を有するので、得られる貼着用積層シート連続体そのものにおいても、或いは、それを任意の切離可能部において切離して得られる１若しくは２以上の（単独の）貼着用積層シート体又は１若しくは２以上の切離可能部を介して所定方向に複数連続してなる貼着用積層シート連続体においても、離型シート部から貼着シート部と剥離シート部が積層した状態のシート状の貼着体又は連続貼着体を剥離させて貼着シート部の裏側の接着層において貼付対象に貼着した場合、貼着体、又は、連続貼着体における各貼着体の所定方向の両端部又は一端部が貼着シート部により形成される。
【００４４】
そのため、その貼着シート部に隣接する第３領域の剥離シート部を円滑に剥離させることができる。
【００４５】
(13) 上記切離可能部を介して所定方向に隣接する積層シート体が、それぞれの所定方向における端部に形成された第２領域形成部同士において相対している上記(12)記載の積層シート連続体。
【００４６】
(14) 各積層シート体の両側部それぞれに第１領域形成部を有し、それらの第１領域形成部が切離可能部を介して所定方向に連続している上記(11)乃至(13)の何れか１項に記載の積層シート連続体。
【００４７】
この場合、所定方向に複数連続している積層シート体の両側部それぞれに有する、切離可能部を介して所定方向に連続している第１領域形成部を、それぞれ切離可能部において繋がった状態で連続的に効率良く除去して、両側部にそれぞれ第１領域を形成し、切離可能部を介して所定方向に複数連続してなる貼着用積層シート連続体を効率的に得ることができる。
【００４８】
この貼着用積層シート連続体は、両側部にそれぞれ第１領域を有するため、貼着シート部の裏側に有する接着層を構成する物質（例えば接着剤や粘着剤等）が側方に露出したりはみ出たりして他の貼着用積層シート連続体やその他の物に接着又は付着することが防がれる。
【００４９】
(15) 表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなるシート体であって、
離型シート部からなり、貼着シート部と剥離シート部の両者が存在せず貼着シート部の剥離痕跡を有する第１領域と、
離型シート部と貼着シート部が積層してなり、剥離シート部が存在せず剥離シート部の剥離痕跡を有する、前記第１領域に隣接した第２領域と、
離型シート部と貼着シート部と剥離シート部がこの順に積層してなる第３領域を有し、
離型シート部における第１領域と第２領域の境界に対応する位置に切離部を有することを特徴とする貼着用積層シート体。
【００５０】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、
離型シート部からなり、貼着シート部と剥離シート部の両者が存在せず貼着シート部の剥離痕跡を有する第１領域と、
離型シート部と貼着シート部が積層してなり、剥離シート部が存在せず剥離シート部の剥離痕跡を有する、前記第１領域に隣接した第２領域と、
離型シート部と貼着シート部と剥離シート部がこの順に積層してなる第３領域を有する。
【００５１】
すなわち、離型シート部と貼着シート部と剥離シート部が積層してなるシート体から、貼着シート部と剥離シート部の両者が除去されることにより、離型シート部からなり、貼着シート部の剥離痕跡を有する第１領域が形成されている。また、前記シート体から剥離シート部が除去されることにより、離型シート部と貼着シート部が積層してなり、剥離シート部の剥離痕跡を有する第２領域が形成されている。
【００５２】
第１領域は、貼着シート部及び剥離シート部を除去することにより形成され、第２領域は、貼着シート部と離型シート部が積層したままで剥離シート部が除去されることにより形成されるので、互いに隣接する第１領域と第２領域にわたる部分において、前者のための貼着シート部及び剥離シート部の除去と後者のための剥離シート部の除去を効率的に行うには、第１領域と第２領域の境界において剥離シート部は繋がっており、貼着シート部は切離されるものとすることができる。
【００５３】
積層シート体の第１領域と第２領域の境界に対応する位置に、裏側から離型シート部と貼着シート部にわたる切離部を形成し、剥離シート部には切離部を形成しないことにより、第１領域を形成するために除去する剥離シート部と、その第１領域に隣接した第２領域を形成するために除去する剥離シート部を、それらが繋がった状態で（好ましくは、第１領域を形成するために除去する貼着シート部と剥離シート部が積層した状態であり、その剥離シート部と第２領域を形成するために除去する剥離シート部が繋がった状態で）除去することができ、貼着用積層シート体は、離型シート部における第１領域と第２領域の境界に対応する位置に切離部を有するものとなる。すなわち、互いに隣接した第１領域と第２領域が形成された貼着用積層シート体を効率的に得ることができる。
【００５４】
貼着用積層シート体の離型シート部から、貼着シート部と剥離シート部が積層した状態のシート状の貼着体を剥離させることにより、その貼着体を貼着シート部の裏側の接着層において貼付対象に貼着することができる。離型シート部からの貼着シート部と剥離シート部が積層した状態のシート状の貼着体の剥離は、第３領域と第１領域が隣接する部分から円滑に行うことができる。
【００５５】
(16) 上記(15)記載の貼着用積層シート体が、切離可能部を介して所定方向に複数連続してなるものであり、第２領域と第３領域の一方が、所定方向において第１領域により全幅にわたり中断することがない状態で、前記切離可能部を介して所定方向に連続している貼着用積層シート連続体。
【００５６】
第１領域を形成するために除去する剥離シート部と、その第１領域に隣接した第２領域を形成するために除去する剥離シート部を、それらが繋がった状態で（好ましくは、第１領域を形成するために除去する貼着シート部と剥離シート部が積層した状態であり、その剥離シート部と第２領域を形成するために除去する剥離シート部が繋がった状態で）除去することにより、第１領域形成部からの貼着シート部と剥離シート部の除去と第２領域形成部からの剥離シート部の除去を効率的に行って、貼着用積層シート連続体を効率的に得ることができる。
【００５７】
この貼着用積層シート連続体を任意の切離可能部において切離することにより、１又は２以上の（単独の）貼着用積層シート体、並びに、１又は２以上の切離可能部を介して所定方向に複数連続してなる貼着用積層シート連続体の一方又は両方が得られる。
【００５８】
得られた（単独の）貼着用積層シート体の離型シート部から、貼着シート部と剥離シート部が積層した状態のシート状の（単独の）貼着体を剥離させることにより、その（単独の）貼着体を貼着シート部の裏側の接着層において貼付対象に貼着することができる。
【００５９】
また、貼着用積層シート連続体の離型シート部から、貼着シート部と剥離シート部が積層した状態のシート状の連続貼着体を剥離させることにより、その連続貼着体を貼着シート部の裏側の接着層において貼付対象に貼着することができる。
【００６０】
貼着用積層シート体において、第２領域と第３領域の一方が、所定方向において第１領域により全幅にわたり中断することがない状態で、前記切離可能部を介して所定方向に連続（連続は、第２領域のみであるか、第３領域のみであるか、又は、第２領域のみでも第３領域のみでもないかの何れか）しているので、離型シート部から剥離させた貼着シート部と剥離シート部が積層した状態のシート状の（単独の）貼着体又は連続貼着体が、第１領域に対応する箇所において前記所定方向に分離することがなく、一体的に取り扱い得る。
【００６１】
(17) 上記切離可能部を介して所定方向に連続している各貼着用積層シート体の所定方向の両端部又は一端部に第２領域を有し、その第２領域に隣接して第３領域を有する上記(16)記載の貼着用積層シート連続体。
【００６２】
この場合、切離可能部を介して所定方向に複数連続している貼着用積層シート体が、各貼着用積層シート体の所定方向の両端部又は一端部に第２領域を有するので、その貼着用積層シート連続体そのものにおいても、或いは、それを任意の切離可能部において切離して得られる１若しくは２以上の（単独の）貼着用積層シート体又は１若しくは２以上の切離可能部を介して所定方向に複数連続してなる貼着用積層シート連続体においても、離型シート部から貼着シート部と剥離シート部が積層した状態のシート状の貼着体又は連続貼着体を剥離させて貼着シート部の裏側の接着層において貼付対象に貼着した場合、貼着体、又は、連続貼着体における各貼着体の所定方向の両端部又は一端部が貼着シート部により形成される。
【００６３】
そのため、その貼着シート部に隣接する第３領域の剥離シート部を円滑に剥離させることができる。
【００６４】
(18) 上記切離可能部を介して所定方向に隣接する貼着用積層シート体が、それぞれの所定方向における端部に形成された第２領域同士において相対している上記(17)記載の貼着用積層シート連続体。
【００６５】
(19) 各貼着用積層シート体の両側部それぞれに第１領域を有し、それらの第１領域が切離可能部を介して所定方向に連続している上記(16)乃至(18)の何れか１項に記載の貼着用積層シート連続体。
【００６６】
この場合、所定方向に複数連続している貼着用積層シート体の両側部それぞれに、第１領域が切離可能部を介して所定方向に連続している。
【００６７】
この貼着用積層シート連続体は、両側部にそれぞれ第１領域を有するため、貼着シート部の裏側に有する接着層を構成する物質（例えば接着剤や粘着剤等）が側方に露出したりはみ出たりして他の貼着用積層シート連続体やその他の物に接着又は付着することが防がれる。
【発明の効果】
【００６８】
本発明によれば、離型シート部と貼着シート部と剥離シート部がこの順に積層してなるシート体及びそのシート体が切離可能部を介して連続した連続シート体であって、貼着シート部と剥離シート部の積層体又は剥離シート部を容易に剥離させることができ且つ効率的に製造し得る。
【図面の簡単な説明】
【００６９】
【図１】原積層シート体の(a)a-a断面図、(b)b-b断面図、(c)c-c断面図、(d)平面図である。
【図２】積層シート連続体の(a)a-a断面図、(b)b-b断面図、(c)c-c断面図、(d)平面図である。
【図３】積層シート連続体の底面図である。
【図４】貼着用積層シート連続体の(a)a-a断面図、(b)b-b断面図、(c)c-c断面図、(d)平面図である。
【図５】第１領域形成用除去部及び第２領域形成用除去部の(a)a-a断面図、(b)b-b断面図、(c)c-c断面図、(d)平面図である。
【図６】貼着用積層シート連続体（３シート連続体）の(a)a-a断面図、(b)b-b断面図、(c)c-c断面図、(d)平面図である。
【図７】貼着用積層シート連続体（３シート連続体）から切離した貼着用積層シート体の(e)平面図；残りの貼着用積層シート連続体（２シート連続体）から離型シート部を剥離させた連続貼着体（２連続貼着体）の(a)a-a断面図、(b)b-b断面図、(d)平面図；両者を併せた(c)c-c断面図である。
【図８】連続貼着体（２連続貼着体）から剥離した１枚の剥離シート部の(e)平面図；１枚の剥離シート部が剥離した連続貼着体（２連続貼着体）の(a)a-a断面図、(b)b-b断面図、(d)平面図；両者を併せた(c)c-c断面図である。
【発明を実施するための形態】
【００７０】
[1] 本発明の積層シート体、積層シート連続体、貼着用積層シート体、貼着用積層シート連続体及び積層シート体製造方法の実施の形態の一例について、図面を参照しつつ説明する。
【００７１】
(1) 図１に示す原積層シート体Ａは、何れも同じ一定幅の直線的な帯状をなす離型シート部１０と貼着シート部２０と剥離シート部３０が、この順に積層してなるものであり、図における縦方向（所定方向）に一定間隔おきに、ミシン目により形成された切離可能部Ｍを有する。
【００７２】
(1-1) 離型シート部１０は、紙製のシート状の基材の表側に離型面１０ａを有するものである。
【００７３】
(1-2) 貼着シート部２０は、紙製のシート状の基材の裏側に、貼付対象に対し接着するための接着層２０ａを有し、その接着層２０ａにおいて離型シート部１０の表側の離型面１０ａに仮着している。
【００７４】
(1-3) 剥離シート部３０は、紙製のシート状の基材の裏側に仮接着剤層３０ａを有するものであり、貼着シート部２０の表側に仮着している。この剥離シート部３０は、貼着シート部２０の表側に剥離可能に保持され、貼着シート部２０から剥離した場合、貼着シート部２０の表側にそのまま再保持され得ない。
【００７５】
(2) 図２及び図３に示す積層シート連続体Ｐは、積層シート体Ｂが、切離可能部Ｍを介して図における縦方向（所定方向）に多数連続してなるものである。
【００７６】
積層シート体Ｂは、離型シート部１０と貼着シート部２０と剥離シート部３０がこの順に積層してなるシート体であって、第１領域形成部４０と第２領域形成部５０と第３領域６０を有する。
【００７７】
積層シート体Ｂの全体としての平面視形状は、横長長方形状である。
【００７８】
(2-1) 第１領域形成部４０は、貼着シート部２０と剥離シート部３０の両者、すなわち第１領域形成用除去部７０を除去して離型シート部１０からなる第１領域４２を形成するためのものである。
【００７９】
第１領域形成部４０は、各積層シート体Ｂの両側部のそれぞれに縦方向の全長にわたり狭い幅で設けられ、両側部のそれぞれにおいて切離可能部Ｍを介して縦方向に連続している。
【００８０】
(2-2) 第２領域形成部５０は、剥離シート部３０、すなわち第２領域形成用除去部８０を除去して離型シート部１０と貼着シート部２０が積層してなる第２領域５２を形成するためのものである。
【００８１】
第２領域形成部５０は、各積層シート体Ｂの縦方向における両端部において、両側の第１領域形成部４０の内側に隣接して、それらの間にわたり設けられている。
【００８２】
切離可能部Ｍを介して縦方向に隣接する積層シート体Ｂ同士の相対する第２領域形成部５０は、その切離可能部Ｍを介して縦方向に連続している。
【００８３】
(2-3) 第３領域６０は、離型シート部１０と貼着シート部２０と剥離シート部３０がこの順に積層してなるものである。
【００８４】
第３領域６０は、各積層シート体Ｂにおいて、両側の第１領域形成部４０と縦方向両端部の第２領域形成部５０に隣接して囲まれた状態で設けられている。
【００８５】
(2-4) この積層シート連続体Ｐは、第２領域形成部５０と第３領域６０の一方が、所定方向において第１領域形成部４０により全幅にわたり中断することがない状態で、切離可能部Ｍを介して所定方向に連続している。
【００８６】
(3) 積層シート連続体Ｐは、縦方向に一定間隔おきに切離可能部Ｍを有する原積層シート体Ａに対し、次のように第１領域形成部４０と第２領域形成部５０を設けることにより製造し得る。
【００８７】
(3-1) 第１領域形成部４０と第３領域６０の境界線に、貼着シート部２０と剥離シート部３０（第１領域形成用除去部７０）を除去するための、剥離シート部３０と貼着シート部２０にわたる第１切離部Ｔ１を表側から形成する。
【００８８】
(3-2) 第２領域形成部５０と第３領域６０の境界線には、剥離シート部３０（第２領域形成用除去部８０）を除去するための第２切離部Ｔ２を剥離シート部３０に表側から形成する。
【００８９】
(3-3) 第１領域形成部４０と第２領域形成部５０の境界線には、離型シート部１０と貼着シート部２０にわたる第３切離部Ｔ３を裏側から形成する。
【００９０】
第３切離部Ｔ３は、第１領域４２を形成するために除去する剥離シート部３０と、その第１領域４２に隣接した第２領域５２を形成するために除去する剥離シート部３０が繋がった状態で、第１領域４２を形成するために剥離シート部３０と共に除去する貼着シート部２０と第２領域５２を形成する貼着シート部２０（除去しない）を切離するものである。
【００９１】
(4) 図４に示す貼着用積層シート連続体Ｑは、貼着用積層シート体Ｃが切離可能部Ｍを介して縦方向に多数連続してなるものであり、積層シート連続体Ｐにおける第１領域形成部４０及び第２領域形成部５０からそれぞれ第１領域形成用除去部７０及び第２領域形成用除去部８０を除去することにより得られる。
【００９２】
第１領域形成部４０は、各積層シート体Ｂの両側部のそれぞれにおいて切離可能部Ｍを介して縦方向に連続しており、第２領域形成部５０は、両側が第１領域形成部４０に隣接し、第１領域形成部４０から除去する第１領域形成用除去部７０における剥離シート部３０と、第２領域形成部５０から除去する第２領域形成用除去部８０の第２領域形成部５０は繋がっているので、貼着用積層シート体Ｃが切離可能部Ｍを介して縦方向に多数連続してなる貼着用積層シート連続体Ｑから、第１領域形成用除去部７０及び第２領域形成用除去部８０を、図５に示されるように一連に繋がった状態で除去して効率的に貼着用積層シート連続体Ｑを得ることができる。
【００９３】
貼着用積層シート連続体Ｑにおける各貼着用積層シート体Ｃは、切離可能部Ｍを介して縦方向に多数連続し、それぞれ前記のような離型シート部１０と貼着シート部２０と剥離シート部３０が、この順に積層してなり、両側に第１領域４２、縦方向両端部に第２領域５２、それらに囲まれて隣接して第３領域６０を有する。
【００９４】
(4-1) 第１領域４２は、離型シート部１０からなり、貼着シート部２０と剥離シート部３０の両者が存在せず貼着シート部２０の剥離痕跡を有する。
【００９５】
(4-2) 第２領域５２は、離型シート部１０と貼着シート部２０が積層してなり、剥離シート部３０が存在せず剥離シート部３０の剥離痕跡を有する。
【００９６】
(4-3) 第３領域６０は、離型シート部１０と貼着シート部２０と剥離シート部３０がこの順に積層してなる。
【００９７】
(4-4) 離型シート部１０における、第１領域４２と第２領域５２の境界に対応する位置には、第３切離部Ｔ３を有する。
【００９８】
(4-5) この貼着用積層シート連続体Ｑは、第２領域５２と第３領域６０の一方が、所定方向において第１領域形成部４０により全幅にわたり中断することがない状態で、切離可能部Ｍを介して所定方向に連続している。
【００９９】
(4-6) 貼着用積層シート連続体Ｑを２つおきの切離可能部Ｍにおいて切離することにより、２つの切離可能部Ｍを介して所定方向に３つの貼着用積層シート体Ｃが連続してなる図６に示される貼着用積層シート連続体Ｑが得られる。
【０１００】
図６に示される貼着用積層シート連続体Ｑは、(d)における上から順に宛名シートＸ・配達控シートＹ・受付控シートＺが切離可能部Ｍを介して連続してなる配送用連結ラベルであり、必要な文字や図形やコード等が予め印刷され、また、その都度印刷又は記入することができる。
る。
【０１０１】
(4-7) この配送用連結ラベル（貼着用積層シート連続体Ｑ）は、図７に示すように、受付控シートＺを切離可能部Ｍにおいて切離して配装受付の控えとし、切離可能部Ｍを介して連続した宛名シートＸと配達控シートＹから離型シート部１０を剥離させた連続貼着体Ｒを、貼着シート部２０の裏側の接着層２０ａにおいて対象物である配送物の包装に貼着して使用することができる。図６における第３領域６０の貼着シート部２０と剥離シート部３０の左下角部が切り欠かれていて隣接する第１領域４２が広くなっているので、離型シート部１０からの剥離をより円滑に行い得る。
【０１０２】
配送者が配送物を配送した際には、配達控シートＹにおける剥離シート部３０を受取証として受取印やサインを受取人からもらい、図８に示すように剥離シート部３０を剥離させて配送者が持ち帰るものとすることができる。
【０１０３】
また、宛名シートＸと配達控シートＹが貼着されている配送物の包装は、宛名シートＸにおける宛名が記載されている剥離シート部３０を受取人が剥離させた後、廃棄することができる。
【０１０４】
[2] 本発明の実施の形態を、上記以外の形態を含めて更に説明する。
【０１０５】
(1) 本発明における積層シート体は、離型シート部と貼着シート部と剥離シート部がこの順に積層してなるシート体であって、第１領域形成部と第２領域形成部と第３領域を有する。
【０１０６】
積層シート体の全体としての平面視形状は、最も一般的には、長方形状や正方形状等の方形状であるが、必ずしもこれに限るものではない。
【０１０７】
(1-1) 離型シート部は、表側に離型面を有する。離型シート部としては、紙や合成樹脂フィルム等のシート状の基材の一方の面（表側）に、必要に応じ目止め層を介して剥離層（例えばシリコーン樹脂含有剥離層）を形成したものを例示することができるが、これに限るものではない。例えば、シート状の基材の両面に剥離層を有するものであってもよい。
【０１０８】
なお、離型シート部は、一般には１枚のシート状の基材からなるが、複数のシート状の基材が積層したものとすることを妨げるものではない。
【０１０９】
(1-2) 貼着シート部は、貼付対象に対し接着するための接着層を裏側に有し、その接着層において離型シート部の表側の離型面に仮着している。貼着シート部としては、紙や合成樹脂フィルム等のシート状の基材の一方の面（裏側）に、粘着剤等による接着層を形成したものを例示することができるが、これに限るものではない。
【０１１０】
なお、貼着シート部は、一般には１枚のシート状の基材からなるが、複数のシート状の基材が積層したものとすることを妨げるものではない。
【０１１１】
(1-3) 剥離シート部は、貼着シート部の表側に仮着している。剥離シート部は、貼着シート部の表側に剥離可能に保持され得る。一方、剥離シート部は、貼着シート部の表側に保持された後に剥離した場合、貼着シート部の表側にそのまま再保持され得ないものとすることが好ましいが、必ずしもこれに限るものではない。
【０１１２】
剥離シート部としては、紙や合成樹脂フィルム等のシート状の基材からなるものを例示することができ、剥離シート部の一方の面（裏側）と貼着シート部の表側のうち一方又は両方に仮接着剤層を形成することにより、剥離シート部の裏側が貼着シート部の表側に仮着し得るものとすることができるが、必ずしもこれに限るものではない。
【０１１３】
仮接着剤層を構成する仮接着剤は、その仮接着剤を介して保持体が剥離シートを剥離可能に保持し得るもの、例えば感圧接着性の擬似糊（例えば水分３０重量％のアクリル樹脂エマルジョンを主成分とするもの）とすることができるが、必ずしもこれに限るものではない。
【０１１４】
なお、剥離シート部は、一般には１枚のシート状の基材からなるが、複数のシート状の基材が積層したものとすることを妨げるものではない。
【０１１５】
(1-4) 第１領域形成部は、貼着シート部と剥離シート部の両者を除去して離型シート部からなる第１領域を形成するためのものである。
【０１１６】
第１領域形成部は、例えば両側部にそれぞれ設けることができるが、これに限るものではない。
【０１１７】
(1-5) 第２領域形成部は、剥離シート部を除去して離型シート部と貼着シート部が積層してなる第２領域を形成するためのものである。
【０１１８】
(1-6) 第３領域は、離型シート部と貼着シート部と剥離シート部がこの順に積層してなるものであり、第１領域と第２領域以外の領域に有する。
【０１１９】
(1-7) 第１領域形成部と第３領域の境界には、その境界線に沿って、貼着シート部と剥離シート部を除去するための、剥離シート部と貼着シート部にわたる切離部が形成されている。
【０１２０】
切離部は、境界に沿って両部分が完全に切離されているものであることが望ましいが、貼着シート部と剥離シート部を除去する上で支障がない程度に部分的に（例えば、長さ方向に間欠的に又は厚さ方向に部分的に、或いは、長さ方向及び厚さ方向の両方において部分的に）切離されているものとすることもできる。以下同様。
【０１２１】
(1-8) 第２領域形成部と第３領域の境界には、その境界線に沿って、剥離シート部を除去するための切離部が剥離シート部に形成されている。
【０１２２】
(1-9) 第１領域形成部と第２領域形成部の境界のうち、第１領域を形成するために除去する剥離シート部と、その第１領域に隣接した第２領域を形成するために除去する剥離シート部を、それらが繋がった状態で除去する部分には、その境界線に沿って、例えば、離型シート部と貼着シート部にわたる切離部が形成されるか、貼着シート部にのみ切離部が形成されるか、又は、貼着シート部に切離部が形成されると共に剥離シート部の一部に切れ目等が形成され、剥離シート部は少なくとも一部繋がっているものとすることができる。
【０１２３】
なお、例えば、ある第２領域形成部に、複数の第１領域形成部との複数個所の境界が存在する場合や、１つの第１領域形成部との複数個所の境界が存在する場合は、複数個所の境界の一部には剥離シート部と貼着シート部にわたる切離部が形成されたものとすることもできる。また、第１領域形成部と第２領域形成部の１箇所の境界の一部については剥離シート部と貼着シート部にわたる切離部が形成され、残部は離型シート部と貼着シート部にわたる切離部が形成されたものとすることもできる。
【０１２４】
(2) 本発明における積層シート体は、それぞれ前記のような離型シート部と貼着シート部と剥離シート部が、この順に積層してなる原積層シート体に対し、次のように第１領域形成部と第２領域形成部を設けることにより製造し得る。尤も、本発明における積層シート体の製造は、必ずしも次のように製造することを要するものではない。
【０１２５】
(2-1) 第１領域形成部と第３領域の境界に、第１領域形成部から貼着シート部と剥離シート部を除去するための、剥離シート部と貼着シート部にわたる切離部を表側から形成する。
【０１２６】
(2-2) 第２領域形成部と第３領域の境界に、剥離シート部を除去するための切離部を表側から剥離シート部に形成する。
【０１２７】
(2-3) 第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部を裏側から形成するか又は原積層シート体における貼着シート部に予め切離部を形成する。
【０１２８】
(2-4) 第１領域形成部、第２領域形成部及び第３領域は、それぞれ１又は２以上とすることができる。
【０１２９】
(2-5) 原積層シート体は、積層した離型シート部と貼着シート部と剥離シート部の平面視形状が同一又は実質上同一であることが好ましいが、これに限るものではない。
【０１３０】
(3) 本発明における貼着用積層シート体は、それぞれ前記のような離型シート部と貼着シート部と剥離シート部が、この順に積層してなるシート体であって、それぞれ１又は２以上の第１領域と第２領域と第３領域を有する。
【０１３１】
(3-1) 第１領域は、離型シート部からなり、貼着シート部と剥離シート部の両者が存在せず貼着シート部の剥離痕跡を有する。
【０１３２】
(3-2) 第２領域は、離型シート部と貼着シート部が積層してなり、剥離シート部が存在せず剥離シート部の剥離痕跡を有する。第２領域は、原則として第１領域に隣接している。
【０１３３】
(3-3) 第３領域は、離型シート部と貼着シート部と剥離シート部がこの順に積層してなる。
【０１３４】
(3-4) 前記のように離型シート部と貼着シート部にわたる切離部を裏側から形成した場合は、離型シート部における、第１領域と第２領域の境界（ある第２領域形成部に、複数の第１領域形成部との複数個所の境界が存在する場合や、１つの第１領域形成部との複数個所の境界が存在する場合は、複数個所の境界の一部でもよい。）に対応する位置に切離部を有する。
【０１３５】
(3-5) 本発明における貼着用積層シート体は、本発明における積層シート体における第１領域形成部から貼着シート部と剥離シート部の両者（第１領域形成用除去部）を除去することにより第１領域を形成し、第２領域形成部から剥離シート部（第２領域形成用除去部）を除去することにより第２領域を形成することにより得ることができる。
【０１３６】
第１領域を形成するために除去する剥離シート部と、その第１領域に隣接した第２領域を形成するために除去する剥離シート部が繋がっている場合は、それらが繋がった状態で両者を効率的に除去し得る。
【０１３７】
(4) 本発明における積層シート連続体は、上記積層シート体が、切離可能部を介して所定方向に複数連続してなるものであり、第２領域形成部と第３領域の一方が、所定方向において第１領域形成部により全幅にわたり中断することがない状態で、前記切離可能部を介して所定方向に連続（連続は、第２領域形成部のみであるか、第３領域のみであるか、又は、第２領域形成部のみでも第３領域のみでもないかの何れか）している。
【０１３８】
なお、切離可能部を介して所定方向に複数連続した積層シート体の一部が、第３領域が存在しない積層シート体であるものとすることもできる。
【０１３９】
(4-1) 本発明における積層シート連続体は、所定方向に間隔おきに切離可能部を有する原積層シート体に第１領域形成部と第２領域形成部と第３領域を設けるか、又は、切離可能部を有しない原積層シートに第１領域形成部と第２領域形成部と第３領域を設けると共に所定方向間隔おきに切離可能部を設けることにより製造することができる。
【０１４０】
尤も、本発明における積層シート連続体の製造は、必ずしもこのように製造することを要するものではない。
【０１４１】
(4-2) 本発明における積層シート連続体は、各積層シート体の所定方向の両端部又は一端部に第２領域形成部を有し、その第２領域形成部に隣接して第３領域を有するものとすることができる。
【０１４２】
また、この切離可能部を介して所定方向に隣接する積層シート体は、それぞれの所定方向における端部に形成された第２領域形成部同士において相対するものとすることができる。
【０１４３】
また、切離可能部を介して所定方向に複数連続してなる積層シート体は、各積層シート体の両側部それぞれに第１領域形成部を有し、それらの第１領域形成部が切離可能部を介して所定方向に連続しているものとすることができる。
【０１４４】
(4-3) 本発明における貼着用積層シート連続体は、貼着用積層シート体が切離可能部を介して所定方向に複数連続してなるものであり、第２領域と第３領域の一方が、所定方向において第１領域により全幅にわたり中断することがない状態で、前記切離可能部を介して所定方向に連続（連続は、第２領域のみであるか、第３領域のみであるか、又は、第２領域のみでも第３領域のみでもないかの何れか）している。
【０１４５】
この貼着用積層シート連続体は、積層シート連続体における第１領域形成部から貼着シート部と剥離シート部の両者（第１領域形成用除去部）を除去することにより第１領域を形成し、第２領域形成部から剥離シート部（第２領域形成用除去部）を除去することにより第２領域を形成することにより得ることができる。
【０１４６】
第１領域が切離可能部を介して所定方向に連続しており、第１領域を形成するために除去する剥離シート部と、その第１領域に隣接した第２領域を形成するために除去する剥離シート部が繋がっている場合は、それらが一連に繋がった状態で積層シート連続体から効率的に除去し得る。
【０１４７】
この貼着用積層シート連続体を任意の切離可能部において切離することにより、１又は２以上の（単独の）貼着用積層シート体、並びに、１又は２以上の切離可能部を介して所定方向に複数連続してなる貼着用積層シート連続体の一方又は両方が得られる。
【０１４８】
得られた（単独の）貼着用積層シート体の離型シート部から、貼着シート部と剥離シート部が積層した状態のシート状の（単独の）貼着体を剥離させることにより、その（単独の）貼着体を貼着シート部の裏側の接着層において貼付対象に貼着することができる。
【０１４９】
また、貼着用積層シート連続体の離型シート部から、貼着シート部と剥離シート部が積層した状態のシート状の連続貼着体を剥離させることにより、その連続貼着体を貼着シート部の裏側の接着層において貼付対象に貼着することができる。
【０１５０】
離型シート部からの貼着シート部と剥離シート部が積層した状態のシート状の（単独の）貼着体又は連続貼着体の剥離は、第３領域と第１領域が隣接する部分から円滑に行うことができる。
【０１５１】
なお、本発明における貼着用積層シート連続体は、切離可能部を介して所定方向に複数連続した貼着用積層シート体の一部が、第３領域が存在しない貼着用積層シート体であるものとすることもできる。
【０１５２】
本発明における貼着用積層シート連続体は、切離可能部を介して所定方向に連続している各貼着用積層シート体の所定方向の両端部又は一端部に第２領域を有し、その第２領域に隣接して第３領域を有するものとすることができる。
【０１５３】
また、この切離可能部を介して所定方向に隣接する貼着用積層シート体は、それぞれの所定方向における端部に形成された第２領域同士において相対しているものとすることができる。
【０１５４】
また、貼着用積層シート連続体は、各貼着用積層シート体の両側部それぞれに第１領域を有し、それらの第１領域が切離可能部を介して所定方向に連続しているものとすることができる。
【０１５５】
(4-4) 本発明における、所定方向に複数連続している原積層シート体、積層シート連続体、及び、貼着用積層シート連続体における所定方向に間隔おきに有する切離可能部は、何れの段階において設けることも可能である。
【０１５６】
(4-5) 所定方向に複数連続している原積層シート体、積層シート連続体、又は、貼着用積層シート連続体は、その所定方向に直交する方向に切離可能部を介して並列状に形成することもできる。
【０１５７】
(4-6) 原積層シート体、積層シート連続体若しくは積層シート体、又は、貼着用積層シート連続体若しくは貼着用積層シート体における少なくとも剥離シート部及び貼着シート部の一方又は両方には、宛名ラベル、宛名・配達控・受付控等の配送用連結ラベル、その他の用途に応じ、必要な表示等のための文字や図形やコード等の印刷や、その他の加工等を施すことができる。
【０１５８】
そのような印刷やその他の加工は、積層シート連続体又は貼着用積層シート連続体の所定方向における所定の数の積層シート体若しくは貼着用積層シート体毎に又は原積層シート体それらに対応する箇所毎に施すことができる。例えば隣り合う切離可能部間の１シート毎、或いは、切離可能部を介して連続した２シート、３シート、又は４シート毎に、宛名ラベル、宛名・配達控・受付控等の配送用連結ラベル、その他の用途に応じた印刷やその他の加工を予め、および／または、その都度施すことができる。
【０１５９】
離型シート部を剥離させて対象物に貼着する前であれば、貼着用積層シート連続体から１又は２枚以上の貼着用積層シート体を切離可能部において切離し得、各剥離シート部は、必要な時に貼着シート部から剥離させることができる。
【符号の説明】
【０１６０】
Ａ      原積層シート体
Ｂ      積層シート体
Ｃ      貼着用積層シート体
Ｍ      切離可能部
Ｐ      積層シート連続体
Ｑ      貼着用積層シート連続体
Ｓ      貼着体
Ｒ      連続貼着体
Ｔ１    第１切離部
Ｔ２    第２切離部
Ｔ３    第３切離部
Ｘ      宛名シート
Ｙ      配達控シート
Ｚ      受付控シート
１０    離型シート部
１０ａ  離型面
２０    貼着シート部
２０ａ  接着層
３０    剥離シート部
３０ａ  仮接着剤層
４０    第１領域形成部
４２    第１領域
５０    第２領域形成部
５２    第２領域
６０    第３領域
７０    第１領域形成用除去部
８０    第２領域形成用除去部
【図１】
2018058242.tif 000003
【図２】
2018058242.tif 000004
【図３】
2018058242.tif 000005
【図４】
2018058242.tif 000006
【図５】
2018058242.tif 000007
【図６】
2018058242.tif 000008
【図７】
2018058242.tif 000009
【図８】
2018058242.tif 000010